(57)【要約】      （修正有）【課題】画面の表示倍率が変更されたときであってもカーソルをユーザが操作しやすい電子機器、画像表示システム、および画像表示方法を提供する。【解決手段】ＤＴＶは、十字キーを備えたリモートコントローラから受信する十字キー操作信号に基づいて、十字キーカーソル６１を移動させる。ＤＴＶのブラウザが表示するページ５１の表示倍率が変更されると、移動制御モジュールは変更前と同様の十字キー操作信号を受信したとしても、十字キーカーソル６１の移動量を表示倍率の変化に応じて変更する。移動制御モジュールはページ５１の表示倍率が拡大されたときは、この十字キーカーソル６１の移動量を大きくし、縮小されたときには十字キーカーソルの移動量を小さくする。【選択図】図９
2011165086.tif 000002
【特許請求の範囲】
【請求項１】
画像を表示する画像表示手段と、
前記画像の表示倍率を変更する表示倍率変更手段と、
カーソルを表示するカーソル表示手段と、
移動方向を示す信号を受信する受信手段と、
前記画像表示手段が第１の表示倍率で画像を表示するとき、前記信号を受信すると、前
記カーソルを前記移動方向に基づいて第1の距離移動させ、
前記画像表示手段が前記第１の表示倍率より大きい倍率で画像を表示するとき、前記信号
を受信すると、前記カーソルを前記移動方向に基づいて前記第１の距離より長い第２の距
離移動させるカーソル移動制御手段と、
を具備することを特徴とする電子機器。
【請求項２】
前記表示倍率変更手段が、第１の拡大率で表示倍率を変更するとき、
前記カーソル移動制御手段は、前記変更前に前記信号を受信したときの前記カーソルの
移動量に対する、前記変更後に前記信号を受信したときの前記カーソルの移動量の倍率が
前記第１の拡大率となるように前記カーソルの移動量を制御すること
を特徴とする請求項１記載の電子機器。
【請求項３】
前記カーソル移動制御手段は、
前記画像表示手段が前記第1の表示倍率より小さい倍率で画像を表示するとき、前記信号
を受信すると、前記カーソルを前記移動方向情報に基づいて前記第１の距離より短い第３
の距離移動させること
を特徴とする請求項１記載の電子機器。
【請求項４】
前記受信手段は、
前記移動方向を示す信号である第１の信号を受信し、
前記第１の信号の次に、前記移動方向を示す信号である第２の信号を受信し、
前記第２の信号の次に、前記移動方向を示す信号である第３の信号を受信し、
前記カーソル移動制御手段は、
前記第１の信号を受信したとき、前記カーソルを第４の距離移動させ、
前記第２の信号を受信したとき、前記カーソルを前記第４の距離より長い第５の距離移動
させ、
前記第３の信号を受信したとき、前記カーソルを前記第５の距離より短い第６の距離移動
させること
を特徴とする請求項１記載の電子機器。
【請求項５】
前記受信手段は、更に方向情報と距離情報とを含む信号を受信し、
前記カーソル移動制御手段は、
前記方向情報と距離情報とを含む信号に基づいて前記カーソルを移動させる第１の移動手
段と、
前記方向情報を示す信号に基づいて前記カーソルを移動させる第２の移動手段とを有して
おり、
前記カーソルを前記第１の移動手段によって移動するか、前記第２の移動手段によって
移動するかを切り替える切り替え手段を更に具備する
を特徴とする請求項１記載の電子機器。
【請求項６】
前記カーソル表示手段は、前記切り替え手段が行う前記切り替えに基づいて、前記カー
ソルの表示を変更すること
を特徴とする請求項５記載の電子機器。
【請求項７】
放送信号を受信する放送信号受信手段と、
受信した前記放送信号をチューニングするチューナと、
チューニングされた放送信号に含まれる映像を表示する映像表示手段と、
を更に具備することを特徴とする請求項１記載の電子機器。
【請求項８】
方向を示すキーの押下を検知する検知手段と、
押下されたキーに応じて移動方向情報を示す信号を送信する送信手段と、
を有するリモートコントローラ装置と、
画像を表示する画像表示手段と、
前記画像の表示倍率を変更する表示倍率変更手段と、
カーソルを表示するカーソル表示手段と、
移動方向を示す信号を受信する受信手段と、
前記画像表示手段が第１の表示倍率で画像を表示するとき、前記信号を受信すると、前
記カーソルを前記移動方向に基づいて第1の距離移動させ、
前記画像表示手段が前記第１の表示倍率より大きい倍率で画像を表示するとき、前記信号
を受信すると、前記カーソルを前記移動方向に基づいて前記第１の距離より長い第２の距
離移動させるカーソル移動制御手段と、
を有する電子機器と、
を具備することを特徴とする画像表示システム。
【請求項９】
画像およびカーソルを表示部に表示する表示方法であって、
移動方向情報を示す信号を受信し、
第１の表示倍率で画像を表示するとき、前記信号を受信すると、前記移動方向に基づい
て前記カーソルを第１の距離移動させ、
第１の表示倍率より大きい倍率で画像を表示するとき、前記信号を受信すると、前記移
動方向に基づいて前記カーソルを前記第１の距離より長い第２の距離移動させて表示する
ことを特徴とする画像表示方法。
【発明の詳細な説明】
【技術分野】
【０００１】
本発明は電子機器、画像表示システム、及び画像表示方法に関するものであって、特に
画面の表示倍率が変更されたときに、カーソルをユーザが操作しやすい電子機器、画像表
示システム、及び画像表示方法に関する。
【背景技術】
【０００２】
近年の技術発達によって電子機器のシームレス化が進み、例えばテレビのような電子機
器においてブラウザ等を搭載している機器が提供されるようになった。このような電子機
器では、ブラウザ起動時にカーソルを表示し、このカーソルを用いてユーザが操作入力を
行う場合がある。
【０００３】
例えばテレビのような電子機器では、リモートコントローラのような外部操作入力装置
にはタッチパッド等のポインティングデバイスを搭載していない場合も存在するため、十
字キー等のキーによってカーソルの操作を行う場合がある。
【０００４】
この一例として、十字キーを用いてマウスカーソルを移動させるＷｅｂブラウザ用リモ
コンの技術がある（特許文献１を参照）。
【先行技術文献】
【特許文献】
【０００５】
【特許文献１】特開２００１−２０９４９５号公報
【発明の概要】
【発明が解決しようとする課題】
【０００６】
ところで、上述のような電子機器は画面の表示倍率を変更する機能を備えている場合が
ある。この機能により電子機器が画面の表示を拡大／縮小するとき、カーソルの移動量が
拡大／縮小前と同様であるなら、例えば拡大された場合には拡大前の所定距離を移動する
ためにより多くカーソルを移動させなければならない。また、例えば縮小された場合には
一度に動いてしまうカーソルの移動量が大きいためカーソルを細かいポイントに合わせづ
らい。このような電子機器が表示倍率の変更機能を有する場合のカーソル移動に関する課
題は、上記の文献記載の技術では考慮されておらず、未解決のままであった。
【０００７】
本発明は上記課題に鑑みてなされたものであって、画面の表示倍率が変更されたときで
あってもカーソルをユーザが操作しやすい電子機器、画像表示システム、および画像表示
方法を提供することを目的とする。
【課題を解決するための手段】
【０００８】
上述の課題を解決するために、本発明の電子機器は、画像を表示する画像表示手段と、画像の表示倍率を変更する表示倍率変更手段と、カーソルを表示するカーソル表示手段と、移動方向を示す信号を受信する受信手段と、
画像表示手段が第１の表示倍率で画像を表示するとき、信号を受信すると、カーソルを移動方向に基づいて第1の距離移動させ、
画像表示手段が第１の表示倍率より大きい倍率で画像を表示するとき、信号を受信すると、カーソルを移動方向に基づいて第１の距離より長い第２の距離移動させるカーソル移動制御手段とを具備することを特徴とする。
【発明の効果】
【０００９】
本発明によれば、画面の表示倍率が変更されたときであっても、カーソルをユーザが操
作しやすい電子機器、画像表示システム、および画像表示方法を実現することができる。
【図面の簡単な説明】
【００１０】
【図１】本発明の一実施形態における画像表示システムの一例を示す概観図。
【図２】本発明の一実施形態におけるリモートコントローラの一例を示す外観図。
【図３】本発明の一実施形態におけるＤＴＶ及びリモートコントローラの内部構成の一例を示すブロック図。
【図４】本発明の一実施形態におけるＤＴＶの一部の機能構成であって、カーソル制御に関連する機能ブロックの一例を示すブロック図。
【図５】本発明の一実施形態におけるタッチパッド操作モードでの表示部の表示の一例を示す概観図。
【図６】本発明の一実施形態における十字キー操作モードでの表示部の表示の一例を示す概観図。
【図７】本発明の一実施形態におけるに十時キー操作モード時の受信する十字キー操作信号と十字キーカーソルの移動量の関係の一例を示す概念図。
【図８】本発明の一実施形態における十字キーカーソルの移動量の一例を示す図。
【図９】本発明の一実施形態におけるページの表示倍率を変更した場合の十字キーカーソルの移動量の一例を示す図。
【図１０】本発明の一実施形態におけるＤＴＶのブラウザ画面の表示倍率変更処理およびカーソル移動量設定処理の一例を示すフロー図。
【図１１】本発明の一実施形態におけるＤＴＶのカーソル表示・移動処理の一例を示すフロー図。
【発明を実施するための形態】
【００１１】
本発明の一実施形態について図面を参照しながら説明を行う。
【００１２】
図１は本実施形態における画像表示システム３の一例を示す概観図である。図１には、
ＤＴＶ１、リモートコントローラ２、及び画像表示システム３が示されている。
【００１３】
ＤＴＶ１は本実施形態における電子機器の一例としてのデジタルテレビジョン（Digita
l Television）であり、受信した放送波の放送信号から映像・音声情報を抽出し、これら
を出力する機能を有している。またＤＴＶ１は、例えばインターネットのような大規模ネ
ットワーク網（WAN:：Wide Area Network）と接続されており、この大規模ネットワーク
に接続されている他の機器と通信可能となっている。本発明における電子機器の一例とし
てここではＤＴＶ１を示すが、これに限定されるものではない。電子機器の他の例示とし
ては、ＳＴＢ（Set Top Box）、ＨＤＤレコーダ（Hard Disk Drive）およびＤＶＤ（Digi
tal Versatile Disc）レコーダ、またはＰＣ（Personal Computer）のような様々な機器
が考えられる。
【００１４】
リモートコントローラ２は複数の操作スイッチ（キー）を有しており、この操作スイッ
チが押下されると、これに応じてＤＴＶ１の操作を行うための信号を送信する機能を有し
ている。信号の形式は、例えば、ＲＦ(Radio Frequency)信号やＩＲ（Infrared）信号を
用いるのが一般的であるが、本発明では有線、無線の区別を問わない。
【００１５】
画像表示システム３はＤＴＶ1とリモートコントローラ２より構成されており、ユーザ
はリモートコントローラ２を用いてＤＴＶ１を操作して所定の処理を行わせ、画像を表示
させることができる。
【００１６】
次にリモートコントローラ２の詳細な構造を説明する。
【００１７】
図２は本実施形態におけるリモートコントローラ２の一例を示す外観図である。
【００１８】
リモートコントローラ２はＤＴＶ１の各種機能を操作するための複数のキー（スイッチ
）を有している。本実施形態において、この複数のキーはキー２１、タッチパッド２２、
および十字キー２３によって構成されている。
【００１９】
キー２１はＤＴＶ１の各種機能を実行するために設けられたキーであって、リモートコ
ントローラ２はそれぞれのキーへのユーザの押下操作に応じて異なる操作信号を発信する
。キー２１にはＤＴＶ１の電源投入と遮断とを切り替える電源キーと、表示する映像情報
のソースを切り替える入力切替キー、ゲーム、地デジ、ＢＳ又はＣＳを選択するキーを備
えた入力切替キー群と、チャンネルの選択や文字の入力等を行うチャンネル文字キー群、
チャンネルの切り替えを行うチャンネル切替キーと、画面の表示形式を選択する画面表示
キー、音量を調整する音量調整キー、各種ＤＴＶ１の機能を実現させるための色が割り当
てられたカラーキー等の様々なキーが含まれている。また、ＤＴＶ１に表示されたカーソ
ルの所定の位置での選択操作を行うための決定キーもこれに含まれる。本実施形態の説明
においては便宜上これらのキーを一纏めのキー２１として説明し、タッチパッド２２及び
十字キー２３をこのキー２１とは分けて説明する。
【００２０】
タッチパッド２２は、例えばユーザの指等によるタッチパッド２２表面への接触を静電
容量の変化で検知し、この検知点を示す検知信号を出力する機能を有している。このタッ
チパッド２２の表面を指でなぞることによって、ユーザはＤＴＶ１に表示されたカーソル
の操作を行うことが可能である。
【００２１】
十字キー２３は、リモートコントローラ２内部の、タッチパッド２２の裏面に対向に位
置に設けられており、ユーザに押下されたタッチパッド２２の裏面が接触することで、こ
の押圧を検知して検知信号を出力する。十字キー２３は図２中のポイントＡのリモートコ
ントローラ２内部に当たる位置に上下左右が割り当てられて４つ設けられている。この4
つのスイッチから構成される十字キー２３は、それぞれの上下左右の方向を示す信号を出
力する。
【００２２】
本実施形態において、リモートコントローラ２はタッチパッド２２と十字キー２３とが
一体として設けられている（タッチパッド２２が十字キー２３と兼用されている）。十字
キー２３が押下される際にはユーザの指はタッチパッド２２に接触しており、このときに
はタッチパッド２２と十字キー２３はそれぞれ検知信号を出力することとなる。
【００２３】
本実施形態におけるリモートコントローラ２ではタッチパッド２２と十字キー２３とが
外部から見て同じ位置に設けられているように例示したがこれに限定されず、異なった位
置に独立してそれぞれが設けられていてもよい。
【００２４】
次に画像表示システム３のＤＴＶ１及びリモートコントローラ２の内部構成について説
明する。
【００２５】
図３は本実施形態におけるＤＴＶ１及びリモートコントローラ２の内部構成の一例を示
すブロック図である。
【００２６】
先ずＤＴＶ１に関する説明を行う。
【００２７】
ＤＴＶ１は、装置各部の動作を制御する制御部１５６を備えている。制御部１５６は、
ＣＰＵ（Central Processing Unit）等を内蔵している。制御部１５６は、操作部１１６
から入力される操作信号や、リモートコントローラ２から送信され受信部１１８を介して
受信される操作信号に応じて、ＲＯＭ（Read Only Memory）１５７に予め記憶されたシス
テム制御プログラム及び各種処理プログラムを起動させる。制御部１５６は、起動したプ
ログラムに従って、ＲＡＭ（Random Access Memory）１５８をワークメモリとして装置各
部の動作を制御する。
【００２８】
入力端子１４４は、ＢＳ／ＣＳデジタル放送受信用のアンテナ１４３が受信した衛星デ
ジタルテレビジョン放送信号を衛星デジタル放送用のチューナ１４５に供給する。チュー
ナ１４５は、受信したデジタル放送信号のチューニングを行い、チューニングしたデジタ
ル放送信号をＰＳＫ（Phase Shift Keying）復調器１４６に送信する。PSK復調器１４６
は、ＴＳ（Transport Stream）の復調を行い、復調したＴＳをＴＳ復号器１４７ａに供給
し、ＴＳ復号器１４７ａは、TSをデジタル映像信信号、デジタル音声信号、およびデータ
信号を含むデジタル信号に復号した後、信号処理部１００にこれを出力する。ここでのデ
ジタル映像信号とはＤＴＶ１が出力可能な映像に関するデジタル信号であり、音声信号は
ＤＴＶ１が出力可能な音声に関するデジタル信号である。またデータ信号とは、例えばＤ
ＴＶ１が電子番組表であるＥＰＧ（Electronic Program Guide）を生成するときに使用す
る情報である番組関連情報等を含む、放送波の放送番組に関する情報に関するデジタル信
号である。
【００２９】
入力端子１４９は、地上波デジタル放送受信用のアンテナ１４８が受信した地上波デジ
タルテレビジョン放送信号を地上波デジタル放送用のチューナ１５０に供給する。チュー
ナ１５０は、受信したデジタル放送信号のチューニングを行い、チューニングしたデジタ
ル放送信号をそれぞれのＯＦＤＭ（Orthogonal Frequency Division Multiplexing）復調
器１５１に送信する。ＯＦＤＭ復調器１５１は、ＴＳの復調を行い、復調したＴＳをそれ
ぞれのＴＳ復号器１４７ｂに供給し、ＴＳ復号器１４７ｂは、ＴＳをデジタル映像信号及
び音声信号等に復号した後、信号処理部１００にこれを出力する。チューナ１５０の１１
個それぞれのチューナで取得した地上波デジタルテレビジョン放送は、これらの複数個の
ＯＦＤＭ復調器１５１、ＴＳ復号器１４７ｂによってそれぞれ同時にデジタル映像信号、
音デジタル音声信号、及びデータ信号を含むデジタル信号として復号された後に、信号処
理部１００に出力されることが可能である。
【００３０】
アンテナ１４８は、地上波アナログ放送信号も受信可能である。受信された地上波アナ
ログ放送信号は、図示しない分配器によって分配されて、アナログチューナ１６８に供給
される。アナログチューナ１６８は、受信したアナログ放送信号のチューニングを行い、
チューニングしたアナログ放送信号をアナログ復調器１６９に送信する。アナログ復調器
１６９はアナログ放送信号の復調を行い、復調したアナログ放送信号を信号処理部１００
に出力する。また、ＤＴＶ１は、一例として、アンテナ１４８が接続される入力端子１４
９にＣＡＴＶ（Common Antenna Television）用のチューナを接続することによってＣＡ
ＴＶも視聴することができる。
【００３１】
信号処理部１００は、ＴＳ復号器１４７ａ、１４７ｂ、または制御部１５６から出力さ
れたデジタル信号に、適切な信号処理を施す。より具体的には、信号処理部１００はデジ
タル信号を映像信号、デジタル音声信号、およびデータ信号に分離する。分離された映像
信号はグラフィック処理部１５２に、音声信号は音声処理部１５３に出力される。また信
号処理部１００は、アナログ復調器１６９から出力された放送信号を、所定のデジタルフ
ォーマットの映像信号及び音声信号に変換する。デジタルに変換された映像信号はグラフ
ィック処理部１５２に、音声信号は音声処理部１５３に出力される。また信号処理部１０
０は、ライン入力端子１３７からの入力信号にも所定のデジタル信号処理を施す。
【００３２】
ＯＳＤ（On Screen Display）信号生成部１５４は、制御部１５６の制御に従って、Ｕ
Ｉ（ユーザ・インタフェース）画面などを表示するためのＯＳＤ信号を生成する。また信
号処理部１００においてデジタル放送信号から分離されたデータ信号は、ＯＳＤ信号生成
部１５４により適切なフォーマットのＯＳＤ信号に変換され、グラフィック処理部１５２
に出力される。
【００３３】
グラフィック処理部１５２は、信号処理部１００から出力されるデジタルの映像信号の
デコード処理を行う。デコードされた映像信号は、ＯＳＤ信号生成部１５４から出力され
たＯＳＤ信号と重ね合わせて合成され、映像処理部１５５に出力される。グラフィック処
理部１５２は、デコードされた映像信号またはＯＳＤ信号を、映像処理部１５５に選択的
に出力することもできる。
【００３４】
映像処理部１５５は、グラフィック処理部１５２から出力された信号を、表示部１２０
で表示可能なフォーマットのアナログ映像信号に変換する。アナログに変換された映像信
号は、表示部１２０に表示される。
【００３５】
音声処理部１５３は、入力された音声信号を、スピーカ１１０で再生可能なフォーマッ
トのアナログ音声信号に変換する。アナログに変換された音声信号は、スピーカ１１０に
出力されて再生される。
【００３６】
カードホルダ１６１は、カードＩ／Ｆ（Interface）１６０を介して制御部１５６に接
続されている。メモリカード１１９は、このカードＩ／Ｆ１６０に装着可能である。メモ
リカード１１９は、例えばＳＤ（Secure Digital）メモリカード、ＭＭＣ（Multimedia C
ard）及びＣＦ（Compact Flash）カード等の記憶媒体である。カードホルダ１６１に装着
されたメモリカード１１９、及び制御部１５６は、カードＩ／Ｆ１６０を介して情報の書
込み／読み出しを行うことができる。
【００３７】
ＬＡＮ端子１３１は、ＬＡＮＩ／Ｆ１６４を介して制御部１５６に接続されている。Ｌ
ＡＮ端子１３１は、イーサネット（登録商標）を用いた一般的なＬＡＮ対応ポートとして
使用される。本実施形態においてＬＡＮ端子１３１にはＬＡＮケーブル（図示しない）が
接続されており、インターネットと通信可能となっている。
【００３８】
ＵＳＢ（Universal Serial Bus）端子１３３は、ＵＳＢ Ｉ／Ｆ１６６を介して制御部
１５６に接続されている。ＵＳＢ端子１３３は、一般的なＵＳＢ対応ポートとして使用さ
れる。ＵＳＢ端子１３３には、例えばハブを介して、携帯電話、デジタルカメラ、各種メ
モリカードに対するカードリーダ／ライタ、ＨＤＤ、キーボード等が接続される。制御部
１５６は、ＵＳＢ端子１３３を介して接続される機器との間で、情報の通信（送受信）を
行うことができる。
【００３９】
ＨＤＤ１７０はＤＴＶ１に内蔵される磁気記憶媒体（Hard Disk Drive）であってＤＴ
Ｖ１が有する各種情報を記憶する機能を有している。
【００４０】
次にリモートコントローラ２に関する説明を行う。
【００４１】
キー２１、タッチパッド２２、及び十字キー２３より出力される検知信号は、リモコン
制御部２４に入力される。リモコン制御部２４は入力された信号に基づいて、ＤＴＶ１を
操作するための操作信号を生成し、送信部２５によって外部に送信させる。この送信され
た操作信号を受信部１１８が受信するとＤＴＶ１はこの操作信号に応じた所定の処理を実
行する。
【００４２】
本実施形態においては、キー２１の押下によってリモートコントローラ２から送信され
る信号をキー操作信号、タッチパッド２２をなぞることによって送信される信号をタッチ
パッド操作信号、十字キー２３を押下することによって送信される信号を十字キー操作信
号と呼ぶこととする。
【００４３】
次に、ＤＴＶ１の制御部１５６に関しての説明を詳細に行う。
【００４４】
図４は本実施形態におけるＤＴＶ１の一部の機能構成であって、カーソル制御に関連す
る機能ブロックの一例を示すブロック図である。図４には制御部１５６、受信部１５６、
ＯＳ３１、カーソル制御モジュール３２、ブラウザ３３、カーソル設定モジュール３４、
移動制御モジュール３５、およびカーソル表示モジュール３６が示されている。
【００４５】
ＯＳ３１は、受信部１１８や操作部１１６からの入力や表示部１２０への出力といった
入出力機能やＨＤＤ１８０やＲＡＭ１５８の管理など、多くのアプリケーションソフトか
ら共通して利用される基本的な機能を提供し、コンピュータシステム全体を管理するソフ
トウェア（Operating System）である。ＯＳ３１はリモートコントローラ２から受信する
所定の操作信号をカーソル設定モジュール３４、移動制御モジュール３５およびブラウザ
３３に送信する機能を有している。
【００４６】
カーソル制御モジュール３２はＤＴＶ１の表示部１２０にカーソルを表示させる機能を
有している。ユーザはリモートコントローラ２を操作することにより、結果的にカーソル
制御モジュール３２によって表示部１２０に表示されるカーソルを操作することとなり、
ＤＴＶ１に各種の操作指示を行うことができる。
【００４７】
ブラウザ３３はインターネットを介して取得したページを表示部１２０に表示する機能
を有している。またブラウザ３３はページの表示倍率を操作し、表示するページ（画像）
の拡大縮小を行うことができる。ブラウザ３３はこの表示倍率の情報を移動制御モジュー
ル３５に送信する。
【００４８】
カーソル設定モジュール３４は表示されるカーソルの操作モードを設定する機能を有し
ている。本実施形態ではカーソルの操作モードとして、タッチパッド操作モードと十字キ
ー操作モードとの２種類の操作モードとを定める。タッチパッド操作モードとは、リモー
トコントローラ２から受信する、タッチパッド２２の操作によって送信されるタッチパッ
ド操作信号に基づいてカーソルの移動を行うモードである。また十時キー操作モードとは
十字キー２３の操作によって送信される十字キー操作信号に基づいてカーソルの移動を行
うモードである。ユーザはリモートコントローラ２を用いてこのカーソル操作モードを設
定することができる。ＯＳ３１から操作信号を受信して、カーソル操作モードが切り替え
られると、カーソル設定モジュール３４はこのカーソルの操作モードの情報を保持し、こ
のモードの情報を移動制御モジュール３５およびカーソル表示モジュール３６に送信する
。
【００４９】
移動制御モジュール３５はＯＳ３１から受信するタッチパッド操作信号および十字キー
操作信号に基づいて表示されているカーソルの移動量を制御する機能を有している。移動
制御モジュール３５はカーソル設定モジュール３４から受信するカーソル操作モードに基
づいて受信する操作信号の取捨選択を行う。つまり、移動制御モジュール３５は、タッチ
パッド操作モードであるときはタッチパッド操作信号に基づいてカーソルの移動量を決定
し、十字キー操作信号を受信しても無視する。逆に、十字キー操作モードであるときは、
十字キー操作信号に基づいてカーソルの移動量を決定し、タッチパッド操作信号を受信し
ても無視する。
【００５０】
また、移動制御モジュール３５はブラウザ３３より、画像の表示倍率の情報を取得する
。移動制御モジュール３５は、このブラウザ３３の表示倍率情報、受信する操作信号の種
類、及び連続して同じ信号を受信した回数等に基づいてカーソルの移動量を制御する。こ
のカーソル移動量の制御に関しては、図７乃至図９を用いて後述にて詳細に説明する。
【００５１】
カーソル表示モジュール３６は、カーソルを描画する機能を有している。また、カーソ
ル表示モジュール３６はカーソルの現在の位置情報を保持しており、ＤＴＶ１はこのカー
ソルの位置情報及び描画されたカーソルの画像信号に基づいて表示部１２０にカーソルを
表示する。
【００５２】
カーソル表示モジュール３６は、移動制御モジュール３５から受信するカーソルの移動
量情報に基づいてカーソルの表示位置を変更する。また、カーソルの操作モード（タッチ
パッド操作モードまたは十字キー操作モード）に応じて、表示するカーソルの画像を切り
替える。さらに、カーソル表示モジュール３６は、現在カーソルが存在する位置情報（カ
ーソルの指す位置の表示面上での座標情報）をブラウザ３３に出力する機能も有している
。
【００５３】
次に表示部１２０に表示されるカーソルに関して図５及び図６を用いて説明を行う。
【００５４】
図５は本実施形態におけるタッチパッド操作モードでの表示部１２０の表示の一例を示
す概観図である。図５には表示部１２０、ページ５１、タッチパッドカーソル５２、ペー
ジタブ５３、ページＵＲＬ５４、リンク５５、倍率設定表示５６、バー５７、スライダ５
８、および倍率設定呼び出し表示５９が示されている。
【００５５】
ページ５１はＤＴＶ１がインターネットより取得したサイトのＷｅｂページであり、ブ
ラウザ３３によって描画され、表示されている。
【００５６】
タッチパッドカーソル５２はカーソル制御モジュール３２によって描画され、表示され
たカーソルである。このタッチパッドカーソル５２はカーソル操作モードがタッチパッド
操作モードであるときに表示されるカーソルであり、カーソル表示モジュール３６によっ
て描画される。
【００５７】
ページタブ５３には表示されているページ５１のタイトルが示されている。
【００５８】
ページＵＲＬ５４には表示されているページ５１のＵＲＬ（Uniform Resource Locator
）が記述されている。
【００５９】
リンク５５は表示されているページ５１に記述されており、ユーザはこのリンク５５を
カーソルを用いて選択することでリンク５５で指定されているページにジャンプすること
ができる。
【００６０】
倍率設定表示５６はブラウザ３３がこのページ５１を表示するときの倍率を設定するた
めの表示ウィンドウ（ＧＵＩ）であり、ユーザはこの表示を参照しながらリモートコント
ローラ２を操作することで、ページ５１を拡大／縮小することができる。倍率設定表示５
６にはバー５７及びスライダ５８が表示されており、ユーザはリモートコントローラ２を
用いてスライダ５８をバー５７上で移動させることによってページ５１の表示倍率を変更
することができる。図５ではスライダ５８がバー５７の１００％の上に位置しており、ペ
ージ５１はページ提供者の提供したサイズで表示されている。リモートコントローラ２の
十字キー（左）２３スライダ５８をバー５７上で左に動かすと、ページ５１は縮小され、
十字キー（右）２３によって右に動かすとページ５１は拡大される。このように、スライ
ダ５８の移動はリモートコントローラ２の十字キー２３によって操作することができ、ユ
ーザは表示倍率を自由に選択することができる。
【００６１】
倍率設定呼び出し表示５９は倍率設定表示５６を呼び出すためのリモートコントローラ
２の操作方法を示す表示である。本実施形態においてはリモートコントローラ２のキー２
１のカラーキーうち黄色キーを押すことで倍率設定表示５６が呼び出されることとなる。
ユーザはページ５１の倍率設定を行いたいとき（拡大／縮小を行いたいとき）は、黄色キ
ーを押すことでこの倍率設定表示５６を呼び出し、ページ５１の表示倍率の設定を行うこ
とができる。この表示倍率設定はブラウザ３３の機能によって実現される。
【００６２】
図６は本実施形態における十字キー操作モードでの表示部１２０の表示の一例を示す概
観図である。図６には表示部１２０、ページ５１、ページタブ５３、ページＵＲＬ５４、
リンク５５、倍率設定呼び出し表示５９、および十字キーカーソル６１が示されている。
図６では倍率設定表示５６が表示されていないときの表示部１２０を示している。
【００６３】
タッチパッド操作モードにおいては表示部１２０にタッチパッドカーソル５２が示され
るが、十字キー操作モードではタッチパッドカーソル５２ではなく、十字キーカーソル６
１が表示される。この十字キーカーソル６１は十字キー操作モードのとき、カーソル表示
モジュール３６によって描画されるカーソルである。
【００６４】
カーソル操作モードはリモートコントローラ２の所定のキーによって設定を行うことが
可能であり、ブラウザ３３がページ５１を表示している最中にもモードを切り替えること
が可能である。このときは、カーソルも表示が切り替えられる。
【００６５】
本実施形態においては、タッチパッド操作信号と十字キー操作信号との内、カーソルの
移動にどちらの操作信号を採用するかが、カーソル操作モードによって設定される。図５
及び図６のようにモードによってカーソルのデザインを変更することで、ユーザはタッチ
パッド２２と十字キー２３とのうち、どちらを用いて操作を行えばよいかを、表示を見る
だけで直感的に判別することができる。
【００６６】
更に本実施形態では、リモートコントローラ２にタッチパッド２２と十字キー２３とは
一体として設けられている（タッチパッド２２を押下することで十字キー２３を操作でき
る）。このため、ユーザが十字キー２３を押下して操作しようとした場合であってもタッ
チパッド２２から検知信号が出力される可能性があり、またタッチパッド２２を操作しよ
うとした場合であっても十字キー２３が押下されてしまう可能性がある。そこで、どちら
かの信号のみを採用するように、カーソルの操作モードを設けることによってユーザのリ
モートコントローラ２による操作ミスの可能性を低減することができる。また、リモート
コントローラ上でタッチパッド２２と十字キー２３が近接して設けられている場合であっ
ても同様の操作ミスが起こりうる。
【００６７】
次に十時キー操作モードにおける入力される十字キー操作信号と十字キーカーソル６１
の移動量との関係を説明する。
【００６８】
図７は本実施形態におけるに十時キー操作モード時の、受信する十字キー操作信号と十
字キーカーソル６１の移動量の関係の一例を示す概念図である。
【００６９】
リモートコントローラ２のリモコン制御部２４は、設けられた各種キーからの検知信号
を受信し、この検知信号に基づいて各種操作信号を発信部２５を介して発信する。
【００７０】
タッチパネル２２の表面が指によってなぞられたとき、タッチパネル２２はタッチパネ
ル２２表面上の接触された位置の座標情報をリモコン制御部２４に入力する。リモコン制
御部２４は所定時間毎の座標の変化量を検知し、この変化量をカーソルの移動を操作する
ためのタッチパッド操作信号として発信部２５を介して外部に発信する。
【００７１】
十字キー２３が押下されたとき、十字キー２３はどの方向のキーが押下されたかを示す
検知信号をリモコン制御部２４に入力する。リモコン制御部２４は、十字キーが押下され
ている間は押下された十字キー２３の方向の情報をカーソルの移動を操作するための十字
キー操作信号として発信部２５を介して外部に発信する。リモコン制御部２４はこれらの
操作信号を１００ｍ秒毎に発信する。
【００７２】
本実施形態においてはリモートコントローラ２が送信する十字キー操作信号には３種類
存在し、ＤＴＶ１は受信する十字キー操作信号の種類に応じてカーソルの表示上での移動
距離を制御する。この３種類の十字キー操作信号とは単発信号、長押し信号、及び長押し
の最終信号である。以下にこれらの信号に関する説明を行う。
【００７３】
単発信号はリモートコントローラ２において十字キー２３が長押しではなく（所定時間
以下）押下されたとき、発信する信号である。この信号には十字キー２３のうちの上下左
右のどのキーが押下されているかという情報が含まれている。
【００７４】
長押し信号とは十字キー２３が所定時間以上継続して押下されているときに発信される
信号である。この長押し信号には十字キー２３の上下左右の内どの信号が押下されている
かという情報に加えて、この押下が所定時間以上継続されたものであるという長押しの情
報が含まれる。この長押し信号は上述のように１００ｍ秒毎に発信される。
【００７５】
長押しの最終信号とは十字キー２３に対する長押しがやめられたとき、最後に送信する
信号である。この長押しの最終信号には十字キー２３の上下左右の内どの信号が押下され
ているかという情報に加えて、この信号が長押しの最後の信号であるということを示す情
報が付加されている。
【００７６】
リモコン制御部２４は十字キー２３の検知信号の連続して入力される時間に応じてこの
ような３種類の操作信号を発信する。十字キー２３がリモコン制御部２４に入力する検知
信号は方向しか示しておらず、カーソルの移動量に関する情報は何も含まない。そこで本
実施形態に於いては、ユーザの十字キー２３の押下時間に応じて、リモートコントローラ
２は３種類の操作信号を発信するようにし、この信号の種類に基づいてカーソルの移動量
を制御するように構成する。
【００７７】
これらの操作信号を受信したＤＴＶ１は、移動制御モジュール３５によってそれぞれの
信号に応じて十時キーカーソル６１の移動量を制御する。例えば図７のように単発信号を
受信したときには、移動制御モジュール３５は十字キーカーソル６１を十字キー２３の押
下された方向に向けて１０画素移動させる。また、長押し信号を３回まで受信したときに
は、移動制御モジュール３５はそれぞれ一回の信号受信に対して十字キーカーソル６１を
２０画素ずつ移動させる。また長押し信号を４回以上連続して受信するときは、移動制御
モジュール３５は一回の信号受信に対して十字キーカーソル６１を４０画素ずつ移動させ
る。また、更に長押しの最終信号を受信したときには、移動制御モジュール３５は十字キ
ーカーソル６１を操作指示された方向に向けて１０画素のみ移動させる。
【００７８】
このように構成しておくことで、ユーザは十字キーカーソル６１を表示部１２０上で長
い距離移動させようと思う場合には十字キー２３を長押しすることで、十字キーカーソル
６１の移動量を大きくすることができ、ユーザの利便性が向上する。
【００７９】
また、リモートコントローラ２およびＤＴＶ１の処理速度の関係で、ユーザがリモート
コントローラ２の十字キー２３を押下してからＤＴＶ１の十字キーカーソル６１の移動を
行うまでの反応速度が遅い場合が考えられる。この場合、ユーザはリモートコントローラ
２を長押ししておいて、カーソルを止めたい場所付近になって指を離したとしても、反応
速度が遅いためカーソルが止まる場所が目的の場所（カーソルを止めたい場所）を超えて
しまう場合が考えられる。本実施形態では長押し最終信号受信に対する十字キーカーソル
６１の移動量を小さく設定することによって、上述のような長押しによるカーソルの進み
すぎの防止を図ることができる。
【００８０】
このように移動制御モジュール３５は上述のように受信する信号によって十字キーカー
ソル６１の移動量を制御する。この十字キーカーソル６１の表示部１２０上での移動の様
子について次に説明する。
【００８１】
図８は本実施形態における十字キーカーソル６１の移動量の一例を示す図である。
【００８２】
図８ではリモートコントローラ２の十字キー２３がある一定の時間長押しされた場合の
十字キーカーソル６１の移動量が示されている。図８において十字キーカーソル６１は図
７に示される対応に基づいて移動している。
【００８３】
このとき、移動制御モジュール３５は右向きの十字キー２３の十字キー操作信号を受信
しており、受信した信号は最初に単発信号、次に４回連続して長押し信号、そして最後に
長押し最終信号となっている。最初の単発信号の受信により移動制御モジュール３５はカ
ーソル表示モジュール３６に対して１０画素右に十字キーカーソル６１を移動させるよう
に指示する。次に移動制御モジュール３５は長押し信号に基づいて３回分２０画素移動さ
せるようにカーソル表示モジュール３６に対して指示を行う。また、移動制御モジュール
３５は４回連続して長押し信号を受信しているため、次には４０画素十字キーカーソル６
１を移動させるようにカーソル表示モジュール３６に対して指示を行う。最後に、長押し
最終信号を受信するため、移動制御モジュール３５はカーソル表示モジュール３６に対し
て１０画素右に十字キーカーソル６１を移動させるように指示する。カーソル表示モジュ
ール３６はこれに基づいて十字キーカーソル６１を移動させて表示する。
【００８４】
上述のように、ブラウザ３３は倍率設定表示５６によってユーザが行った操作入力に基
づいて、ページ５１の表示倍率を変更して、拡大／縮小を行うことが可能である。このペ
ージ５１の拡大を行った場合の十字キーカーソル６１の移動量について次に説明する。
【００８５】
図９は本実施形態におけるページ５１の表示倍率を変更した場合の十字キーカーソル６
１の移動量の一例を示す図である。
【００８６】
図９Ａには表示倍率１００％のときに、十字キー２３を時間ｔの間押下したときの十字
キーカーソル６１の移動の様子（移動量）が示されており、図９Ｂには表示倍率２００％
のときに、十字キー２３を図９Ａで押下した時間と同じ時間ｔの間押下したときの十字キ
ーカーソル６１の移動の様子（移動量）が示されている。
【００８７】
ユーザは倍率設定表示５６を用いてページ５１の表示倍率を設定することができ、図９
Ａではスライダ５８が１００％の表示の上に位置するように操作されており、図９Ｂでは
スライダ５８が２００％の表示の上に位置するように操作されている。これによって、図
９Ａのページ５１はページ提供者の提供したサイズである表示倍率１００％に設定されて
おり、図９Ｂのページ５１はページ提供者の提供したサイズの倍の表示サイズとなる表示
倍率２００％に設定されている。すなわち図９Ｂのページ５１は（ページ５１に記述され
たリンク５５も）、図９Ａのページ５１に対して２倍の倍率（拡大率）で表示されている
（２倍に拡大されている。）
図９Ａの場合も図９Ｂの場合も同じ時間ｔだけ十字キー２３を押下しているが、図９Ｂ
に示される十字キーカーソル６１は、図９Ａに示される十字キーカーソル６１の倍の距離
移動している。このように本実施形態において、移動制御モジュール３５はブラウザ３３
の画像の表示倍率に応じて十字キーカーソル６１の移動量を制御する。すなわち、ブラウ
ザ３３のページ５１を表示する表示倍率が大きいときは十字キーカーソル６１の移動量を
大きくし、表示倍率が小さいときは十字キーカーソル６１の移動量を小さくする。
【００８８】
例えば表示倍率を拡大したとしても十字キーカーソル６１の移動量を変化させない場合
には、ページ５１の全体のサイズに対する相対的な十字キーカーソル６１の移動量が小さ
くなってしまい、ユーザはページ５１上で十字キーカーソル５２を同じ距離移動させるの
に多くの時間を必要とする。そこで、画面の表示倍率が大きくなったときにカーソルの移
動量を大きくすると、この移動時間を短縮することができる。
【００８９】
また、表示倍率を縮小したとしても十字キーカーソル６１の移動量を変化させない場合
には、ページ５１の全体のサイズに対する相対的な十字キーカーソル６１の移動量が大き
くなってしまい、ユーザは目的の場所を行き過ぎてしまうことが多く、使い勝手が悪い。
そこで、画面の表示倍率が小さくなったときにカーソルの移動量を小さくすると、このカ
ーソルの行きすぎの可能性を低減でき、ユーザにとって十字キーカーソル６１は使い易く
なる。
【００９０】
また更に、本実施形態において移動制御モジュール３５は、画面の表示倍率が変更され
ると、十字キーカーソル６１の移動量がその画面の拡大率と等倍の移動量となるように制
御する。例えば図９のように表示倍率が１００％から２００％に変更された場合には拡大
率が２倍となっているので、十字キーカーソル６１の移動量を表示倍率１００％のときの
２倍の移動量とする。また例えば、ブラウザ３３がページ５１の表示倍率を１００％から
５０％へと変更したときは、表示倍率が半分となっているため（拡大率が２分の１となっ
ているため）十字キーカーソル６１の移動量を表示倍率１００％の半分の（２分の１の）
移動量となるように制御する。このように移動制御モジュール３５は表示画面が拡大／縮
小されると、このとき変化する表示倍率に応じてカーソルの移動量を変化させる。これに
より、ユーザは画面の表示倍率が変更されても、変更前と同様の距離感覚でカーソルを操
作することが可能となる。
【００９１】
移動制御モジュール３５はブラウザ３３より表示倍率の変更情報を受信すると、図７に
示される対応のうちカーソルの移動量を変化させる。例えば、２倍の拡大率で拡大された
場合には、単発信号のとき２０画素、長押し信号３回まで４０画素、長押し信号４回以降
で８０画素、長押しの最終信号で２０画素等のように移動量を制御する。この移動量は拡
大率の通知がされたときに随時移動制御モジュール３５が算出するようにしてもよいし、
移動量と拡大率を対応付けたテーブルを有しているとしてもよい。
【００９２】
また、本実施形態では十字キーカーソル６１のサイズはブラウザ３３の表示倍率に応じ
て変更させていないが、これも移動量と同様に拡大率に応じてサイズを変更するようにし
てもよい。このときブラウザ３３は表示倍率の変更をカーソル表示モジュール３６にも通
知し、カーソル表示モジュール３６はブラウザ３３の表示の拡大率と同倍となるように十
字キーカーソル６１を拡大／縮小して描画する。これによりユーザは十字キーカーソル６
１も含めた画面全体が拡大／縮小しているように感じる。
【００９３】
以下では、ＤＴＶ１の行う処理についての説明を行う。
【００９４】
図１０は本実施形態におけるＤＴＶ１のブラウザ画面の表示倍率変更処理およびカーソ
ル移動量設定処理の一例を示すフロー図である。
【００９５】
先ずブラウザ３３が起動される（ステップＳ１０１）。このときブラウザ３３の起動と
共にカーソル制御モジュール３２が起動される。
【００９６】
次に、ブラウザ３３がシャットダウン指示（ブラウザ３３の実行終了指示）を受信した
か否かの判別を行う（ステップＳ１０２）。ステップＳ１０２においてブラウザ３３への
シャットダウンが指示されていない場合（ステップＳ１０２、Ｎｏ）、ブラウザ３３はユ
ーザからページ５１の拡大／縮小の指示があるか否かの判別を行う（ステップＳ１０３）
。
【００９７】
ユーザからページ５１の拡大／縮小の指示（表示倍率の変更指示）がなされないとき（
ステップＳ１０３、Ｎｏ）、処理フローはステップＳ１０２に戻る。
【００９８】
ユーザからページ５１の拡大／縮小の指示（表示倍率の変更指示）がなされたとき（ス
テップＳ１０３、Ｙｅｓ）、ブラウザ３３はページ５１の拡大／縮小処理（表示倍率の変
更処理）を行う（ステップＳ１０４）。これと共にブラウザ３３は移動制御モジュール３
５に対して、このときの拡大／縮小率を通知する。
【００９９】
移動制御モジュール３５はこの拡大／縮小率の通知を受けて、十字キーカーソル６１の
移動量の設定処理を行う（ステップＳ１０５）。ここでの移動量設定処理とは、図９を用
いて上述したように表示の拡大率に応じて受信する十字キー操作信号に対するカーソルの
移動量を設定するであり、図７に示す対応関係のうちの移動量を変更する。
【０１００】
ステップＳ１０５の処理が終了すると、処理フローはステップＳ１０２に戻る。
【０１０１】
ステップＳ１０２において、ブラウザ３３がシャットダウン指示を受信すると（ステッ
プＳ１０２、Ｙｅｓ）、ブラウザ３３はシャットダウンを行い、共にカーソル制御モジュ
ール３２もシャットダウンして一連の処理フローは終了となる。
【０１０２】
次にカーソルの表示・移動処理フローについての説明を行う。
【０１０３】
図１１は本実施形態におけるＤＴＶ１のカーソル表示・移動処理の一例を示すフロー図
である。
【０１０４】
先ずブラウザ３３が起動される（ステップＳ１１０１）。このときブラウザ３３の起動
と共にカーソル制御モジュール３２が起動される。
【０１０５】
次にカーソル設定モジュール３４が自身の有する前回起動時のカーソルの操作モード情
報に基づいて、カーソルの操作モードを設定する。
【０１０６】
操作モードが十字キー操作モードであるときは（ステップＳ１１０２、Ｙｅｓ）、カー
ソル設定モジュール３４は、カーソルの設定モードが十字キー操作モードであるという情
報を移動制御モジュール３５及びカーソル表示モジュール３６に対して出力し、これに基
づいてカーソル表示モジュール３６は十字キーカーソル６１を描画して表示させる（ステ
ップＳ１１０３）。
【０１０７】
操作モードが十字キー操作モードでないとき（ステップＳ１１０２、Ｎｏ）、つまりタ
ッチパッド操作モードであるときは、カーソル設定モジュール３４は、カーソルの設定モ
ードがタッチパッド操作モードであるという情報を移動制御モジュール３５及びカーソル
表示モジュール３６に対して出力し、これに基づいてカーソル表示モジュール３６はタッ
チパッドカーソル５２を描画して表示させる（ステップＳ１１０４）。
【０１０８】
ステップＳ１１０３又はステップＳ１１０４が終了すると、カーソル設定モジュール３
４はユーザからのカーソル操作モードの変更指示を受信するか否かを判別する（ステップ
Ｓ１１０５）。
【０１０９】
ユーザからカーソル操作モードの変更を指示されたとき（ステップＳ１１０５、Ｙｅｓ
）、処理フローはステップＳ１１０２に戻る。
【０１１０】
カーソル操作モードの変更指示を受信していないとき（ステップＳ１１０５、Ｎｏ）、
ブラウザ３３は自身のシャットダウン指示（終了指示）を受信したか否かの判別を行う（
ステップＳ１１０６）。
【０１１１】
ブラウザ３３がシャットダウン指示を受信していないとき（ステップＳ１１０６、Ｎｏ
）、移動制御モジュール３５はリモートコントローラ２よりタッチパッド操作信号又は十
字キー操作信号を受信したか否かの判別を行う（ステップＳ１１０７）。
【０１１２】
ステップＳ１１０７において、移動制御モジュール３５がリモートコントローラ２より
タッチパッド操作信号又はカーソル操作信号を受信したとき（ステップＳ１１０７、Ｙｅ
ｓ）、移動制御モジュール３５はこのときカーソル操作モードが十字キー操作モードに設
定されているか否かの判別を行う（ステップＳ１１０８）。
【０１１３】
ステップＳ１１０８において、十字キー操作モードに設定されているとき（ステップＳ
１１０８、Ｙｅｓ）、移動制御モジュール３５は移動量設定及び、十字キー操作信号に基
づいてカーソルの移動量を決定し、この移動量（移動方向を含む）の情報をカーソル表示
部３６に送信する。これに基づいてカーソル表示部３６は受信した移動量分移動させて十
字キーカーソル６１を描画、表示する（ステップＳ１１０９）。
【０１１４】
また、ステップＳ１１０８において十字キー操作モードに設定されていないとき（ステ
ップＳ１１０８、Ｎｏ）、すなわちタッチパッド操作モードに設定されているとき、移動
制御モジュール３５はタッチパッド操作信号に基づいてタッチパッドカーソル５２の移動
量を決定する。移動制御モジュール３５はこの移動量に基づいてタッチパッドカーソル５
２を移動させて描画、表示する（ステップＳ１１１０）。
【０１１５】
ステップＳ１１０７においてタッチパッド操作信号又はカーソル操作信号を受信しない
とき（ステップＳ１１０７、Ｎｏ）、ステップＳ１１０９終了後、又はステップＳ１１１
０の終了後には処理フローはステップＳ１１０５に戻る。
【０１１６】
ステップＳ１１０６において、ブラウザ３３がシャットダウン指示を受信するとき（ス
テップＳ１１０６、Ｙｅｓ）、ブラウザ３３はシャットダウンを行い、共にカーソル制御
モジュール３２もシャットダウンして、以上で一連の処理フローは終了となる。
【０１１７】
本実施形態では、十字キー２３からの十字キー操作信号およびブラウザ３３の拡大／縮
小情報に応じて十字キーカーソル６１の移動量を制御する。リモートコントローラ２の十
字キー２３はタッチパネル２２のようなポインティングデバイスとは異なり、ユーザは一
回の操作で方向に関する情報しか入力することができず、移動量に関する情報は入力でき
ない。そのため、十字キー２３でカーソル等を移動させようと考えるとき、移動量に関す
る情報をユーザが入力できるとよい。そこで本実施形態における画像表示システム３では
、十字キーの押下時間に基づいてカーソルの移動量を制御するように構成している。しか
し、このように構成したとしても短い時間の間に移動量を変更させることはできない。そ
こで特に大きくカーソルの移動量を変化させたい画面の拡大／縮小時に、この拡大率に応
じてカーソルの移動量を制御することで、短い時間であっても移動量を変更させることが
できる本実施形態の構成は、十字キーのような方向のみの情報を最初に出力する入力装置
を用いてカーソルを操作する場合には、特に有用となる。
【０１１８】
本実施形態においては、ブラウザの表示倍率に応じたカーソル移動量の変更を十字キー
操作信号に対して適用した場合を例示したが、これに限定されず、タッチパッド操作信号
に対して移動量の変更を行ってもよい。
【０１１９】
本実施形態のＤＴＶ１によれば、画面の表示倍率が変更された場合にも、ユーザはカー
ソル操作が行い易い。
【０１２０】
なお、本発明は上記実施形態そのままに限定されるものではなく、実施段階ではその要
旨を逸脱しない範囲で構成要素を変形して具現化できる。また、上記実施形態に開示され
ている複数の構成要素の適宜な組み合わせにより、種々の発明を形成できる。例えば、実
施形態に示される全構成要素から幾つかの構成要素を削除してもよい。さらに異なる実施
形態にわたる構成要素を適宜組み合わせてもよい。
【符号の説明】
【０１２１】
１…ＤＴＶ、２…リモートコントローラ、３…画像表示システム、１１０…スピーカ、１
２０…表示部、１００…信号処理部、１１６…操作部、１１８…受信部、１１９…メモリ
カード、１３１…ＬＡＮ端子、１３３…ＵＳＢ端子、１３７…ライン入力端子、１４３…
アンテナ、１４４…入力端子、１４５…チューナ、１４６…ＰＳＫ復調器、１４７…ＴＳ
復号器、１４８…アンテナ、１４９…入力端子、１５０…チューナ、１５１…ＯＦＤＭ復
調器、１５２…グラフィック処理部、１５３…音声処理部、１５４…ＯＳＤ信号生成部、
１５５…映像処理部、１５６…制御部、１５７…ＲＯＭ、１５８…ＲＡＭ、１６０…カー
ドＩ／Ｆ、１６１…カードホルダ、１６４…ＬＡＮ  Ｉ／Ｆ、１６６…ＵＳＢ  Ｉ／Ｆ、
１６８…アナログチューナ、１６９…アナログ復調器、１７０…ＨＤＤ、２１…キー、２
２…タッチパッド、２３…十字キー、２４…リモコン制御部、２５…発信部、３１…ＯＳ
、３２…カーソル制御モジュール、３３…ブラウザ、３４…カーソル設定モジュール、３
５…移動制御モジュール、３６…カーソル表示モジュール、５１…ページ、５２…タッチ
パッドカーソル、５３…ページタブ、５４…ページアドレス、５５…リンク、５６…倍率
設定表示、５７…バー、５８…スライダ、５９…倍率設定呼び出し表示、６１…十字キー
カーソル
【図１】
2011165086.tif 000003
【図２】
2011165086.tif 000004
【図３】
2011165086.tif 000005
【図４】
2011165086.tif 000006
【図５】
2011165086.tif 000007
【図６】
2011165086.tif 000008
【図７】
2011165086.tif 000009
【図８】
2011165086.tif 000010
【図９】
2011165086.tif 000011
【図１０】
2011165086.tif 000012
【図１１】
2011165086.tif 000013
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
画像を表示する画像表示手段と、
前記画像の表示倍率を変更する表示倍率変更手段と、
カーソルを表示するカーソル表示手段と、
移動方向を示す信号を受信する受信手段と、
前記画像表示手段が第１の表示倍率で画像を表示するとき、前記信号を受信すると、前記カーソルを前記移動方向に基づいて第１の距離移動させ、
前記画像表示手段が前記第１の表示倍率より大きい倍率で画像を表示するとき、前記信号を受信すると、前記カーソルを前記移動方向に基づいて前記第１の距離より長い第２の距離移動させるカーソル移動制御手段と、
を具備することを特徴とする電子機器。
【請求項２】
前記表示倍率変更手段が、第１の倍率変更率で前記表示倍率を変更するとき、
前記カーソル移動制御手段は、前記表示倍率の変更前に前記信号を受信したときのカーソル移動量に対する、前記表示倍率の変更後に前記信号を受信したときのカーソル移動量の比が、前記第１の倍率変更率となるように前記カーソルの移動量を制御すること
を特徴とする請求項１記載の電子機器。
【請求項３】
前記カーソル移動制御手段は、
前記画像表示手段が前記第１の表示倍率より小さい倍率で画像を表示するとき、前記信号を受信すると、前記カーソルを前記移動方向情報に基づいて前記第１の距離より短い第３の距離移動させること
を特徴とする請求項１記載の電子機器。
【請求項４】
前記受信手段は、
前記移動方向を示す信号である第１の信号を受信し、
前記第１の信号の次に、前記移動方向を示す信号である第２の信号を受信し、
前記第２の信号の次に、前記移動方向を示す信号である第３の信号を受信し、
前記カーソル移動制御手段は、
前記第１の信号を受信したとき、前記カーソルを第４の距離移動させ、
前記第２の信号を受信したとき、前記カーソルを前記第４の距離より長い第５の距離移動させ、
前記第３の信号を受信したとき、前記カーソルを前記第５の距離より短い第６の距離移動させること
を特徴とする請求項１記載の電子機器。
【請求項５】
前記受信手段は、更に方向情報と距離情報とを含む信号を受信し、
前記カーソル移動制御手段は、
前記方向情報と距離情報とを含む信号に基づいて前記カーソルを移動させる第１の移動手段と、
前記方向情報を示す信号に基づいて前記カーソルを移動させる第２の移動手段とを有しており、
前記カーソルを前記第１の移動手段によって移動するか、前記第２の移動手段によって移動するかを切り替える切り替え手段を更に具備する
を特徴とする請求項１記載の電子機器。
【請求項６】
前記カーソル表示手段は、前記切り替え手段が行う前記切り替えに基づいて、前記カーソルの表示を変更すること
を特徴とする請求項５記載の電子機器。
【請求項７】
放送信号を受信する放送信号受信手段と、
受信した前記放送信号をチューニングするチューナと、
チューニングされた放送信号に含まれる映像を表示する映像表示手段と、
を更に具備することを特徴とする請求項１記載の電子機器。
【請求項８】
方向を示すキーの押下を検知する検知手段と、
押下されたキーに応じて移動方向情報を示す信号を送信する送信手段と、
を有するリモートコントローラ装置と、
画像を表示する画像表示手段と、
前記画像の表示倍率を変更する表示倍率変更手段と、
カーソルを表示するカーソル表示手段と、
移動方向を示す信号を受信する受信手段と、
前記画像表示手段が第１の表示倍率で画像を表示するとき、前記信号を受信すると、前記カーソルを前記移動方向に基づいて第１の距離移動させ、
前記画像表示手段が前記第１の表示倍率より大きい倍率で画像を表示するとき、前記信号を受信すると、前記カーソルを前記移動方向に基づいて前記第１の距離より長い第２の距離移動させるカーソル移動制御手段と、
を有する電子機器と、
を具備することを特徴とする画像表示システム。
【請求項９】
画像およびカーソルを表示部に表示する表示方法であって、
移動方向情報を示す信号を受信し、
第１の表示倍率で画像を表示するとき、前記信号を受信すると、前記移動方向に基づいて前記カーソルを第１の距離移動させ、
第１の表示倍率より大きい倍率で画像を表示するとき、前記信号を受信すると、前記移動方向に基づいて前記カーソルを前記第１の距離より長い第２の距離移動させて表示する
ことを特徴とする画像表示方法。
【手続補正２】
【補正対象書類名】明細書
【補正対象項目名】００８８
【補正方法】変更
【補正の内容】
【００８８】
例えば表示倍率を拡大したとしても十字キーカーソル６１の移動量を変化させない場合には、ページ５１の全体のサイズに対する相対的な十字キーカーソル６１の移動量が小さくなってしまい、ユーザはページ５１上で十字キーカーソル６１を同じ距離移動させるのに多くの時間を必要とする。そこで、画面の表示倍率が大きくなったときにカーソルの移動量を大きくすると、この移動時間を短縮することができる。
【手続補正３】
【補正対象書類名】明細書
【補正対象項目名】０１１２
【補正方法】変更
【補正の内容】
【０１１２】
ステップＳ１１０７において、移動制御モジュール３５がリモートコントローラ２よりタッチパッド操作信号又は十字キー操作信号を受信したとき（ステップＳ１１０７、Ｙｅｓ）、移動制御モジュール３５はこのときカーソル操作モードが十字キー操作モードに設定されているか否かの判別を行う（ステップＳ１１０８）。